(57)【特許請求の範囲】
【請求項１】
河川の堤防や住宅地等の防水区域の地面に開閉蓋（２）を有する防水フェンス（１）の収納ボックス（３）を設置し、当該収納ボックス（３）内に流体の注入，排出により上下方向に膨張，収縮自在であり、かつ排気するための排気弁（４７）が設けられたゴム袋体からなる前記防水フェンス（１）が巻回されて収納してあり、前記開閉蓋（２）は、収納ボックス（３）の側板の前方の側板（１３）の上端側にストッパー（１４）付きのヒンジ（１５）で枢着され、前記開閉蓋（２）は、前記側板（１３）に配設された永久磁石により閉塞保持され、防水フェンス（１）に流体を供給することにより、前記開閉蓋（２）を開いて当該防水フェンス（１）を起立伸長させ、さらに開かれた前記開閉蓋（２）は、枢着された前記ヒンジ（１５）のストッパー（１４）で自立することを特徴とする膨張式防水フェンス装置。
【請求項２】
前記防水区域の地面に、前記防水フェンス（１）をその背面から支持する支柱（４）を間隔をおいて複数立設し、かつ前記収納ボックス（３）を前記地面に複数連続して設置し、隣合う防水フェンス（１）同士は連結部を介して水密的に連結されている構成を特徴とする請求項１に記載の膨張式防水フェンス装置。
【請求項３】
前記連結部は接着により連結され、または水密ファスナー（５）により着脱自在に連結されている構成を特徴とする請求項２に記載の膨張式防水フェンス装置。
【請求項４】
前記防水フェンス（１）の収納ボックス（３）は堤防（６）に設置されており、前記支柱（４）は堤防（６）の高欄を構成していることを特徴とする請求項２に記載の膨張式防水フェンス装置。
【発明の詳細な説明】
【０００１】
【発明の属する技術分野】
本発明は、洪水等により水位が上昇し、堤防を越えて河川が氾濫し、さらには、この溢出した水が河川周辺の住宅などに浸水するのを防止するための膨張式防水フェンス装置に関するものである。
【０００２】
【従来の技術】
大雨や台風による洪水発生時に、河川の堤防を越えて水が氾濫する恐れのある地域、とくに都市部の河川の幅の狭い地域では、堤防に設置されている柵に補強板兼用防水板を設置して堤防から水が溢れるのを防いだり、さらに河川周辺の家屋や工場等では、家屋や建物の回りに土のうを積むことによって、堤防から溢れた水が家屋へ浸水するのを食い止める防水対策が施されることが多かった。
【０００３】
【発明が解決しようとする課題】
従来の防水対策によると、堤防の柵に補強板兼防水板を設置したり、家屋や建物の回りに土のうを積むことで周囲の景観が悪くなるという問題があり、さらにこれら補強板兼用防水板を設置し、または土のうを積む作業に手間がかかり、急な河川の増水の場合、対策が間に合わないなどの問題点があった。
【０００４】
【課題を解決するための手段】
本発明に係る膨張式防水フェンス装置は、上述した課題を解決するために、河川の堤防や住宅地等の防水区域の地面に開閉蓋（２）を有する防水フェンス（１）の収納ボックス（３）を設置し、当該収納ボックス（３）内に流体の注入，排出により上下方向に膨張，収縮自在であり、かつ排気するための排気弁（４７）が設けられたゴム袋体からなる前記防水フェンス（１）が巻回されて収納してあり、前記開閉蓋（２）は、収納ボックス（３）の側板の前方の側板（１３）の上端側にストッパー（１４）付きのヒンジ（１５）で枢着され、前記開閉蓋（２）は、前記側板（１３）に配設された永久磁石により閉塞保持され、防水フェンス（１）に流体を供給することにより、前記開閉蓋（２）を開いて当該防水フェンス（１）を起立伸長させ、さらに開かれた前記開閉蓋（２）は、枢着された前記ヒンジ（１５）のストッパー（１４）で自立する。
【０００５】
【発明の実施の形態】
本発明の実施の形態を図１〜図１３を参照して説明する。
図１〜図１１は、本発明に係る膨張式防水フェンス装置を堤防に設置した第１の発明の実施の形態を示すものであって、図１，図２に膨張式防水フェンス装置１１が、河川７の堤防６に設置された斜視図が示されており、この堤防６に沿って道路８が走っており、堤防６の土手には、この堤防６と道路８との境界を画すため、一定の間隔をおいて立設された支柱４と、各支柱４の上端を連結している手摺り９とからなる高欄１０が設けられている。
【０００６】
防水フェンス装置１１は、開閉蓋２を有する収納ボックス３と、この収納ボックス３内に収納された膨張，収納自在なゴム袋体からなる防水フェンス１とから構成されており、河川７の水位が下っている平常時は、図１，図３に示されるように防水フェンス１は流体である内部の空気を抜いて折り畳んだ状態で収納ボックス３内に収納されている。一方、大雨等で河川が氾濫し、水位が上昇して堤防６を越えて水が周辺の家屋に浸水するおそれが生じたときは、緊急に収納されている防水フェンス１に圧縮空気を供給することにより、開閉蓋２を開いてこの防水フェンス１を膨張させる。これにより、当該防水フェンス１が起立伸長し、かつ、防水フェンス１の背面側が支柱４で支持された状態で、実質的に堤防６の高さが１ｍ〜２ｍ嵩上げされ、図２，図４に示されるようにこの防水フェンス装置１１によって水が遮断され堤防６を越えて水が溢出のが防止される。
【０００７】
図３以下によって詳く説明すると、防水フェンス装置１１の収納ボックス３は、例えばステンレス，アルミ合金など錆に強く、剛性のある材料で構成され、かつ、当該防水フェンス装置１１の設置される長さ（例えば数メートルないし１０数メートル）により、必要な個数だけ長手方向に一体的に連続して設置され、それぞれ開閉蓋２をボックス本体の上面に具備している。
【０００８】
複数の収納ボックス３は、これら全体であたかも一つの長尺ボックスのごとき構成とされる。つまり複数の収納ボックス３のうち、両端に位置する収納ボックス３以外の収納ボックス３は、底板１２と、底板１２の両側縁から起立する両側板１３とからなる断面略Ｕ字形状であり、両端に位置する収納ボックス３のみが、底板１２と両側板１３に加え、外端板（図示せず）を備えている。
【０００９】
また、開閉蓋２は図２，図４に示されるように収納ボックス３の前方（河川側）の側板１３の上端縁にストッパー１４付きのヒンジ１５で枢着されており、このストッパー１４が内側板１３に取付けたヒンジ片に係止することで、前記開閉蓋２は開放時上方に起立した状態を保持できるように設けられている。また、開閉蓋２の閉塞保持は、当該開閉蓋２と収納ボックス３の後側（陸側）の側板１３にＳ極とＮ極を対をなして配設した永久磁石１６で行なわせている。
【００１０】
前記収納ボックス３はコンクリートの堤防６に設置されており、底板１２のボルト孔１７を挿通してコンクリート中に植設されたアンカーボルト１８に、底板１２の内側からナット１９を螺合することにより、当該収納ボックス３は堤防６に強固に緊定される。
【００１１】
防水フェンス１は、図３，図４に示されるように膨張，収縮自在なゴム袋体で構成され、その肉厚部には補強繊維２０が埋設されている。
【００１２】
防水フェンス装置１１は、複数の防水フェンス１を一列に配列することにより、水の流れをせき止めるバリアを構成すべく、図１０，図１１に示すように、当該防水フェンス１は、横断平面が略長方形状のゴム袋体で構成され、このゴム袋体の略長方形状を保持するため、その内部に前記各図に示される形状及び配置で、複数の吊り布２１が間隔をおいて平行に配設されている。吊り布２１の両側縁はゴム袋体の内面に接着で固定されており、この複数の吊り布２１によって区画された各スペース２２は、図４，図５に示されるように吊り布２１の上下端縁を中間部側に内弧状に切削することにより、この吊り布２１の上下端縁とゴム袋体の上下部との間に形成される間隙２３を介して連通している。
【００１３】
次に、防水フェンス１を構成するゴム袋体の底部２４は、その長手方向と直角の断面が図５に示される状態で収納ボックス３の底板１２に取付け片２５を介して固定されている。すなわち、収納ボックス３の底板１２には、前後方向に一定の間隔をあけて、かつ長手方向に伸びる２枚の帯状支持金具２６が溶接２７により固着されており、この帯状支持金具２６の上に、その接合面に凹部２８を有し、この凹部２８に取付け片２５を係止する係止用芯金２９が収納されている帯状押さえ金具３１が配設され、帯状支持金具２６と帯状押さえ金具３１とは、これら両金具及び収納ボックス３の底板１２に開設されたボルト孔に、ボルト３２を挿通し、ナット３３で螺着することで両金具間を挾着できる構成とされている。
【００１４】
前記取付け片２５は所定幅で、かつ所定長さを有しており、図５に示されるように左右の各取付け片２５の両端部は防水フェンス１であるゴム袋体の底部２４と下端部両側に接着で固着されており、取付け片２５の中間部は、前記係止用芯金２９に巻回された状態で帯状支持金具２６と帯状押さえ金具３１とにより挾持されている。このように取付け片２５と帯状支持金具２６と帯状押さえ金具３１とボルト３２，ナット３３とにより、防水フェンス１は収納ボックス３の底板１２に強固に固定される。
【００１５】
前記の場合、取付け片２５は、その両端部を予め防水フェンス１の底部２４と側面下端部３４に接着しておくと共に、折り曲げ重合耳片３５の先端に係止用芯金２９を挿入しておき、防水フェンス１を収納ボックス３内に設置する段階で、係止用芯金２９を凹部２８に収納し、ボルト３２にナット３３を螺合することで帯状支持金具２６と帯状押さえ金具３１とで折り曲げ重合耳片３５を挾持するとよい。
【００１６】
次に、図６，図７に示されるように防水フェンス１の下部両端部に前記取付け片２５が曲り込んで伸びていると共に、この両端部にシート状の連結用耳片３６が接着されており、隣合う各連結用耳片３６の端縁に水密ファスナー５が設けられており、スライダー３９（図９）を連結用耳片３６に沿って上下動することにより、水密ファスナー５を開閉して隣合う防水フェンス１同士を連結，分離できるように設けられている。
【００１７】
前記連結用耳片３６と水密ファスナー５は、防水フェンス１の両端上下方向に伸長している。なお、図７では、水密ファスナー５の下端で直角に折り曲げた後、後方に伸長している。そして、この連結用耳片３６及び水密ファスナー５の連結部の直角に折り曲げられ後方に伸びる下端部４０と、収納ボックス３の底板１２との間には、帯状支持金具２６の存在により、これの厚み分だけの間隔４２が形成されるので、本発明の実施の形態では水密ファスナー５の下端部４０の周囲にコーキング材４１を充填することにより、当該間隙４２を埋めてこの間隙４２からの水の流出を防止している。
前述のように、複数の防水フェンス１同士を水密ファスナー５で、連結，分離可能に設けたのは、防水フェンス装置１１の製作上及び施工との関係による。すなわち、防水フェンス装置１１は、数メートルから１０数メートルに及ぶことがあり、これの全長にわたって１個の防水フェンス（つまりゴム袋体）で構成することは実現困難であり、複数の防水フェンスを連結して長い防水フェンス装置１１を構築するのが現実的である。
【００１８】
この場合、複数の防水フェンス１の両端に連結用耳片３６を設け、隣合う防水フェンス１の連結用耳片３６同士を工場又は、施工現場で接着して連結することが可能である。しかし、工場で予め隣接する連結用耳片３６同士を接着しておくと、この長い複数の防水フェンス１を長い収納ボックス３に予め固着して施工現場に運搬することは難しく現実的でない。一方、防水フェンス１を単体で現場まで運搬し、現場において隣接する防水フェンス１の連結用耳片３６同士を接着することも可能であるが、この方法は作業性の点で必ずしも効率的でない。
【００１９】
そこで、本発明の実施の形態では、前述のように連結用耳片３６に水密ファスナー５を取付けておき、施工現場までは防水フェンス１を単体で各収納ボックス３に固着した状態で運び、施工現場において防水フェンス１同士を水密ファスナー５で連結する構成としている。
【００２０】
前記のように構成された防水フェンス１は平常時は、図３に示されるようにジグザグに折り畳まれて収納ボックス３内に収納されており、かつ開閉蓋２が閉じられている。なお、防水フェンス１は前記折り畳みに限らず、巻回、その他の方法で収納ボックス３内に収納しても構わない。
【００２１】
一方、洪水等の非常事態が発生したときは、緊急に防水フェンス１に圧縮空気を供給することにより、当該防水フェンス１を図４のように膨張して、起立伸長させるものである。このため、図４と図５及び他図に示すように収納ボックス３内には長手方向に配管４３が設けられており、この配管４３は図１１に示すように圧縮空気供給装置４５に接続され、かつこの配管４３から分岐される複数のフレキシブルな接続管４６は、各防水フェンス１の袋体に接続されている。
【００２２】
前記の構成により、図３の状態に折り畳まれている複数の防水フェンス１内に圧縮空気供給装置４５から空気を供給することにより、図４に示すように防水フェンス１が空気の圧力で膨張し、開閉蓋２を押し開いて自立伸長し、実質上防水バリアを構成する。またこのとき、防水フェンス１の背後（陸側）方向に加わる力に対しては支柱４で支えられることで、前側（河川側）方向からの水圧に対して補強される。また、防水フェンス１の前側（河川側）には、ヒンジ１５のストッパー１４で自立する開閉蓋２が存在することにより、河川を流れる流木等から防水フェンス１を守る構成とされている。
【００２３】
前記防水フェンス１のゴム袋体には、排気のための排気弁４７が、複数の吊り布２１により区画される各区画スペース２２に対応して複数設けられている。したがって、河川の氾濫が終り、水位が低下して防水フェンス１を折り畳むときは、排気弁４７から内部の空気を排出し、図３に示す折り畳み状態にスムーズに戻すことができる。
【００２４】
次に、図１２は本発明の第２の実施の形態を示す断面図である。本発明の実施の形態では、収納ボックス３の下部に圧縮空気供給装置４５を収納した収納ケース４８を設置し、収納ボックス３の底板１２と収納ケース４８の天板４９に設けた開孔５０を通して、圧縮空気供給装置４５の給気管５１を引出し、この給気管５１と配管４３を接続してある。他の構成は第１の発明の実施の形態と同じである。
【００２５】
第２の発明の実施の形態によると、防水フェンス１と圧縮空気供給装置４５を近接して設置しているので、それだけ配管を短くでき、かつ配管作業も容易となる。
【００２６】
図１３は本発明の第３の実施の形態を示す断面図である。本発明の実施の形態では、収納ボックス３が断面略Ｌ字形の支持台５２により、堤防６の内側面５３に設置されている。つまり、このＬ字形の支持台５２は、その垂直部５４を堤防６の内側面５３に当てがい、かつ垂直部５４のボルト孔５５に堤防に植設したアンカーボルト５６を挿通し、アンカーボルトにナット５７を螺合することで、堤防６の内側面５３にしっかりと固定されている。
【００２７】
また、支持台５２の水平部５８の上面には止水を兼ねるゴム支持板５９が載置され、このゴム支持板５９の上に収納ボックス３の底板１２が載置され、この底板１２と、ゴム支持板５９と、支持台５２の水平部５８の各ボルト孔に固定ボルト６０を挿入し、このボルト６０にナット６１を螺合することでゴム支持板５９を介して収納ボックス３が支持台５２に固定されている。その他の構成は、第１の発明の実施の形態と同じであるので、重複説明を省略する。
【００２８】
前記各発明の実施の形態では、防水フェンス装置が堤防に設置されており、それにより実質的に堤防を１ｍ〜２ｍ嵩上げすることで河川の氾濫を防止する例を示したが、本発明の防水フェンス装置は、これらに限定されず、例えば、河川近くの家屋や工場，公園その他の場所において、河川から溢れた水をせき止め、その流れを変えるべき地域の地面に設置することができる。また、前記各発明の実施の形態では、所定の場所にセンサー（図示せず）を設置しておき、河川７の水位上昇をセンサーが検知したとき、自動的に圧縮空気供給装置が作動し、防水フェンス１が膨張して起立伸長するように構成するとよい。
【００２９】
【発明の効果】
以上説明したように、本発明に係る膨張式防水フェンス装置は、平常時は、防水フェンスであるゴム袋体から流体を排出しておき、地面に設置されている収納ボックス３に収納しておくことができるので、地面からの大きな出張りがなく、景観を害することがないと共に、地面を盛り上げたり、土のうを積み上げるなどの施工工事の必要がないので、堤防のために必要とされるスペースが小さくてすみ、かつ施工費も安くできる。しかも地面から収納ボックス３が突出しないように設置することで、地表面を有効利用するうえで障害とならず、かつ河川の氾濫に伴う増水時に防水フェンス１のゴム袋体に流体を供給することで瞬時にこの防水フェンス１を膨張させ、起立伸長させて防水バリアを構成し水の流れを制御することができ、しかも構成は簡潔である。
【図面の簡単な説明】
【図１】本発明の第１の実施の形態を示し、堤防に設置した膨張式防水フェンス装置の折り畳み時の斜視図である。
【図２】同じく、図１の膨張式防水フェンス装置の膨張時の斜視図である。
【図３】防水フェンス装置の折り畳み時を示し、当該装置の長手方向と直交する断面図である。
【図４】防水フェンス装置の膨張時を示し、当該装置の長手方向と直交する断面図である。
【図５】図４における防水フェンスの下部の固定構造を示す拡大断面図である。
【図６】隣合う防水フェンス同士の連結部の下部構造を示す一部切断側面図である。
【図７】図６の平面図である。
【図８】水密ファスナーの断面斜視図である。
【図９】防水フェンスの一部破断側面図である。
【図１０】図９のＡ−Ａ線断面図である。
【図１１】防水フェンス装置の平面説明図である。
【図１２】第２の発明の実施の形態を示す断面図である。
【図１３】第３の発明の実施の形態を示す断面図である。
【符号の説明】
１  防水フェンス
２  開閉蓋
３  収納ボックス
４  支柱
５  水密ファスナー
６  堤防
７  河川
８  道路
９  手摺り
１０  高欄
１１  防水フェンス装置
１２  底板
１３  両側板
１４  ストッパー
１５  ヒンジ
１６  永久磁石
１７  ボルト孔
１８  アンカーボルト
１９  ナット
２０  補強繊維
２１  吊り布
２２  区画スペース
２３  間隙
２４  底部
２５  取付け片
２６  帯状支持金具
２７  溶接
２８  凹部
２９  係止用芯金
３１  帯状押さえ金具
３２  ボルト
３３  ナット
３４  側面下端部
３５  折り曲げ重合耳片
３６  連結用耳片
３９  スライダー
４０  下端部
４１  コーキング材
４２  間隙
４３  配管
４５  圧縮空気供給装置
４６  接続管
４７  排気弁
４８  収納ケース
４９  天板
５０  開孔
５１  給気管
５２  支持台
５３  内側面
５４  垂直部
５５  ボルト孔
５６  アンカーボルト
５７  ナット
５８  水平部
５９  ゴム支持板
６０  固定ボルト
６１  ナット
【図１】
0003656769.tif 000002
【図２】
0003656769.tif 000003
【図３】
0003656769.tif 000004
【図４】
0003656769.tif 000005
【図５】
0003656769.tif 000006
【図６】
0003656769.tif 000007
【図７】
0003656769.tif 000008
【図８】
0003656769.tif 000009
【図９】
0003656769.tif 000010
【図１０】
0003656769.tif 000011
【図１１】
0003656769.tif 000012
【図１２】
0003656769.tif 000013
【図１３】
0003656769.tif 000014